(57)【要約】【課題】  遊技機の裏面側に設置されるアウト玉排出口付近の形状に合わせて、設置される遊技機毎に玉受け部の側壁部の上端を任意の高さに調整することができるアウト玉回収装置を提供する。【解決方法】  玉受け部１０は、少なくとも、パチンコ玉を受け止める底面部３０と、玉受け部１０の外周壁を構成する側壁部１１と、から構成され、側壁部１１には、外周壁の上端１３の高さ位置を任意の位置に調整するために上下方向に移動可能な移動壁部１２が設けられていることにより、パチンコ機が入れ替えられることにより、パチンコ機の裏面側に設置される構造物の高さ位置が変わった場合であっても、入れ替えられたパチンコ機毎に構造物の高さ位置に合わせて玉受け部１０の側壁部１１の上端１３を任意の高さに調整することができる。【選択図】        図２
2007000207.tif 000002
【特許請求の範囲】
【請求項１】
遊技機島台に設置された遊技機の裏面側から排出された遊技玉を受け入れる玉受け部と、該玉受け部で受け入れた遊技玉を転動させて前記遊技機島台内の回収樋へ送出する玉送出部と、からなるアウト玉回収装置において、
前記玉受け部は、少なくとも、遊技玉を受け止める底面部と、前記玉受け部の外周壁の一面をそれぞれ構成する側壁部と、により構成され、
前記側壁部は、前記外周壁の上端の高さ位置を前記側壁部毎に任意の位置に調整するための上下方向に移動可能な高さ調整手段として形成されていることを特徴とするアウト玉回収装置。
【請求項２】
前記高さ調整手段は、複数個に分割され、
該複数個の高さ調整手段は、個別に上下方向で移動可能であることを特徴とする請求項１記載のアウト玉回収装置。
【請求項３】
遊技機島台に設置された遊技機の裏面側から排出された遊技玉を受け入れる玉受け部と、該玉受け部で受け入れた遊技玉を転動させて前記遊技機島台内の回収樋へ送出する玉送出部と、からなるアウト玉回収装置において、
前記玉受け部は、少なくとも、遊技玉を受け止める円形状の底面部と、前記玉受け部の外周壁を構成する円筒形状の側壁部と、により構成され、
前記側壁部は、前記外周壁の上端の高さ位置を該外周壁の上端の一部毎に任意の位置に調整するための上下方向に移動可能な複数個の高さ調整手段として形成されていることを特徴とするアウト玉回収装置。
【請求項４】
前記側壁部は、前記底面部に固定される固定壁部と該固定壁部に沿って上下方向で移動可能な移動壁部とにより構成され、
前記高さ調整手段は、前記外周壁の上端が形成される前記移動壁部により構成されていることを特徴とする請求項１乃至請求項３のいずれかに記載のアウト玉回収装置。
【請求項５】
前記高さ調整手段には、前記玉受け部の内部を視認可能な内部視認手段が形成されていることを特徴とする請求項１乃至請求項４のいずれかに記載のアウト玉回収装置。
【請求項６】
前記高さ調整手段には、該高さ調整手段の上下方向の位置を調整するための基準となる上下目盛りが形成されていることを特徴とする請求項１乃至請求項５のいずれかに記載のアウト玉回収装置。
【請求項７】
前記玉受け部には、前記高さ調整手段の上下方向の移動をガイドするガイド部材と、前記高さ調整手段に形成される高さ調整手段係合部と係合する固定係合部と、前記高さ調整手段係合部と前記固定係合部とが係合する方向に前記高さ調整手段を付勢する付勢部材と、が形成され、
前記高さ調整手段は、前記付勢部材の付勢力に抗して押圧されることにより、前記高さ調整手段係合部と前記固定係合部との係合が解除されて前記ガイド部材に沿って上下方向で移動可能となり、前記付勢部材によって付勢されることにより、前記高さ調整手段係合部と前記固定係合部とが係合して固定されることを特徴とする請求項１乃至請求項６のいずれかに記載のアウト玉回収装置。
【発明の詳細な説明】
【技術分野】
【０００１】
本発明は、遊技機島台に設置された遊技機の裏面側から排出された遊技玉を受け入れる玉受け部と、該玉受け部で受け入れた遊技玉を転動させて前記遊技機島台内の回収樋へ送出する玉送出部と、からなるアウト玉回収装置に関するものである。
【背景技術】
【０００２】
近年、パチンコ機等に代表される遊技機においては、遊技機の制御を分割された複数の制御基板によって行わせる、いわゆる制御基板のサブ化が行われる傾向にあり、これにより、遊技機の裏面側には数多くの基板ケースが配置されるようになった。これに伴い、限られた遊技機の裏面側のスペースでは、例えば、遊技機の裏面側に形成されている、アウト玉を排出するためのアウト玉排出口の付近にも基板ケースを配置しなければならない場合も生じるようになった。ここで、遊技機の裏面側において配置される基板ケースの位置やアウト玉排出口が形成される位置等は、遊技機メーカー毎に独自の設計がなされており、このため、アウト玉排出口の付近の構造も各遊技機メーカーによって異なっている。
【０００３】
また、遊技機が設置される遊技機島台には、上記したアウト玉排出口の下方の位置に、アウト玉排出口から排出された遊技玉を受け入れた後に回収樋へ送出するアウト玉回収装置が設置されているが、上記したように、アウト玉排出口の付近の構造は、各遊技機メーカーによって異なるため、遊技機によってはアウト玉回収装置の玉受け部の壁面が遊技裏面側の構造物、例えば、アウト玉排出口付近に配置された基板ケースに干渉してしまい、遊技機の内枠が閉まらないという不具合が発生する場合があった。一方、アウト玉排出口やその付近の構造物に対して玉受け部の壁面の高さが低すぎるために、玉受け部でアウト玉を受け入れた際にアウト玉が弾んで玉受け部から飛び出してしまうという不具合が発生する場合があった。
【０００４】
こうした不具合に対処するために、例えば、角型に形成されるアウト玉回収装置の玉受け部を構成する４つの壁面のうち、前後方向に位置する２つの壁面に関しては、上下２段でその高さ位置を変更可能なカバーを装着し、アウト玉排出口付近の形状に合わせてカバーの上下方向の高さ位置を変え、一方、左右方向に位置する２つの壁面に関しては、玉受け部の壁面がアウト玉排出口付近の構造物に干渉する場合には構造物の形状に合わせて壁面の一部を切断するというものが提案されている（例えば、特許文献１）。
【特許文献１】特開２０００−３５０８４０号公報
【発明の開示】
【発明が解決しようとする課題】
【０００５】
しかしながら、上記した特許文献１に開示されるアウト玉回収装置は、玉受け部の前後方向の２つの壁面に対応する位置にある構造物に対しては、カバーの高さ位置を上下２段のうちいずれかの高さ位置にしかすることができないものであったため、構造物の形状によっては、カバーを上段に位置させても構造物との間に隙間ができてしまったり、あるいは、カバーを下段に位置させても構造物と干渉してしまうという問題があった。また、玉受け部の左右方向の壁面に対応する位置にある構造物に対しては、構造物と干渉する場合にその構造物に合わせて壁面の一部を切断するものであるため、遊技機が入れ替えられときに切断した壁面では低すぎる場合であっても、入れ替えられた遊技機に合わせて再び壁面を高くすることはできないという問題があった。
【０００６】
そこで、本発明は、上記した事情に鑑みなされたもので、その目的とするところは、遊技機の裏面側に設置されるアウト玉排出口付近の形状に合わせて、設置される遊技機毎に玉受け部の側壁部の上端を任意の高さに調整することができるアウト玉回収装置を提供することにある。
【課題を解決するための手段】
【０００７】
そこで、請求項１に係る発明について、図面を参照して説明すると、図２に示すように、パチンコ島台（遊技機島台）１に設置されたパチンコ機（遊技機）２の裏面側から排出されたパチンコ玉（遊技玉）を受け入れる玉受け部１０と、該玉受け部１０で受け入れたパチンコ玉を転動させて前記パチンコ島台１内の回収樋へ送出する玉送出部４０と、からなるアウト玉回収装置５において、前記玉受け部１０は、少なくとも、パチンコ玉を受け止める底面部３０と、前記玉受け部１０の外周壁の一面をそれぞれ構成する側壁部１１と、により構成され、前記側壁部１１は、前記外周壁の上端１３の高さ位置を前記側壁部１１毎に任意の位置に調整するための上下方向に移動可能な移動壁部（高さ調整手段）１２として形成されていることを特徴とするアウト玉回収装置５とした。
【０００８】
また、請求項２に係る発明では、図面を参照して説明すると、図２に示すように、請求項１に記載されるアウト玉回収装置５は、前記移動壁部１２は、複数個に分割され、該複数個の移動壁部１２は、個別に上下方向で移動可能であることを特徴とするアウト玉回収装置５とした。
【０００９】
また、請求項３に係る発明では、図面を参照して説明すると、図７に示すように、パチンコ島台１に設置されたパチンコ機２の裏面側から排出されたパチンコ玉を受け入れる玉受け部１０と、該玉受け部１０で受け入れたパチンコ玉を転動させて前記パチンコ島台１内の回収樋へ送出する玉送出部４０と、からなるアウト玉回収装置５において、前記玉受け部１０は、少なくとも、パチンコ玉を受け止める円形状の底面部３０と、前記玉受け部１０の外周壁を構成する円筒形状の側壁部１１と、により構成され、前記側壁部１１は、前記外周壁の上端１３の高さ位置を該外周壁の上端１３の一部毎に任意の位置に調整するための上下方向に移動可能な複数個の移動壁部１２として形成されていることを特徴とするアウト玉回収装置５とした。
【００１０】
また、請求項４に係る発明では、図面を参照して説明すると、図２に示すように、請求項１乃至請求項３のいずれかに記載されるアウト玉回収装置５は、前記側壁部１１は、前記底面部３０に固定される固定壁部２０と該固定壁部２０に沿って上下方向で移動可能な移動壁部１２とにより構成され、前記高さ調整手段は、前記外周壁の上端１３が形成される前記移動壁部１２により構成されていることを特徴とするアウト玉回収装置５とした。
【００１１】
また、請求項５に係る発明では、図面を参照して説明すると、図２に示すように、請求項１乃至請求項４のいずれかに記載されるアウト玉回収装置５は、前記移動壁部１２には、前記玉受け部１０の内部を視認可能な内部視認手段１４が形成されていることを特徴とするアウト玉回収装置５とした。
【００１２】
また、請求項６に係る発明では、図面を参照して説明すると、図２に示すように、請求項１乃至請求項５のいずれかに記載されるアウト玉回収装置５は、前記移動壁部１２には、該移動壁部１２の上下方向の位置を調整するための基準となる上下目盛り１８が形成されていることを特徴とするアウト玉回収装置５とした。
【００１３】
また、請求項７に係る発明では、図面を参照して説明すると、図２及び図５に示すように、請求項１乃至請求項６のいずれかに記載されるアウト玉回収装置５は、前記玉受け部１０には、前記移動壁部１２の上下方向の移動をガイドするガイド部材２１と、前記移動壁部１２に形成される高さ調整手段係合部１７と係合する固定係合部２３と、前記高さ調整手段係合部１７と前記固定係合部２３とが係合する方向に前記移動壁部１２を付勢する付勢部材２５と、が形成され、前記移動壁部１２は、前記付勢部材２５の付勢力に抗して押圧されることにより、前記高さ調整手段係合部１７と前記固定係合部２３との係合が解除されて前記ガイド部材２１に沿って上下方向で移動可能となり、前記付勢部材２５によって付勢されることにより、前記高さ調整手段係合部１７と前記固定係合部２３とが係合して固定されることを特徴とするアウト玉回収装置５とした。
【発明の効果】
【００１４】
請求項１に係る発明においては、玉受け部１０は、少なくとも、パチンコ玉を受け止める底面部３０と玉受け部１０の外周壁の一面をそれぞれ構成する側壁部１１とにより構成され、側壁部１１は、外周壁の上端１３の高さ位置を側壁部１１毎に任意の位置に調整するための上下方向に移動可能な移動壁部１２として形成されている。このように構成することにより、パチンコ機２が入れ替えられることにより、パチンコ機２の裏面側に設置される構造物の高さ位置が変わった場合であっても、入れ替えられたパチンコ機２毎に構造物の高さ位置に合わせて玉受け部１０の側壁部１１の上端１３を任意の高さに調整することができる。このため、玉受け部１０の側壁部１１がパチンコ機２のアウト玉排出口３付近の構造物と干渉することがない。また、側壁部１１の高さが低くなり過ぎることがないため、アウト玉回収装置５で受け入れたアウト玉がアウト玉回収装置５から飛び出してしまうことを防止することができる。
【００１５】
請求項２に係る発明においては、移動壁部１２は、複数個に分割され、複数個の移動壁部１２は、個別に上下方向で移動可能である。このように構成することにより、パチンコ機２の裏面側に設置される構造物の形状に合わせて側壁部１１の高さ位置をより細かく調整することができる。
【００１６】
請求項３に係る発明においては、玉受け部１０は、少なくとも、パチンコ玉を受け止める円形状の底面部３０と玉受け部１０の外周壁を構成する円筒形状の側壁部１１とにより構成され、側壁部１１は、外周壁の上端１３の高さ位置を外周壁の上端の一部毎に任意の位置に調整するための上下方向に移動可能な複数個の移動壁部１２として形成されている。このように構成することにより、パチンコ機２が入れ替えられることにより、パチンコ機２の裏面側に設置される構造物の高さ位置が変わった場合であっても、入れ替えられたパチンコ機２毎に構造物の高さ位置に合わせて玉受け部１０の側壁部１１の上端１３を任意の高さに調整することができる。このため、玉受け部１０の側壁部１１がパチンコ機２のアウト玉排出口３付近の構造物と干渉することがない。また、側壁部１１の高さが低くなり過ぎることがないため、アウト玉回収装置５で受け入れたアウト玉がアウト玉回収装置５から飛び出してしまうことを防止することができる。
【００１７】
請求項４に係る発明においては、側壁部１１は、底面部３０に固定される固定壁部２０と固定壁部２０に沿って上下方向で移動可能な移動壁部１２とにより構成され、高さ調整手段は、外周壁の上端１３が形成される移動壁部１２により構成されている。このような構成では、側壁部１１の固定壁部２０と、底面部３０とが固着されているため、入れ替えられたパチンコ機２毎に構造物の高さ位置に合わせて玉受け部１０の側壁部１１の高さ位置を調整できる構造において、側壁部１１の強度を高めることができ、パチンコ玉の衝突等による側壁部１１の損傷等を防止することができる。
【００１８】
請求項５に係る発明においては、移動壁部１２には、玉受け部１０の内部を視認可能な内部視認手段１４が形成されている。このように構成することにより、パチンコ機２の裏面側に設置される構造物の形状に合わせて側壁部１１の高さ位置を調整することにより、玉受け部１０の内部を覆い隠す状態となった場合であっても、内部視認手段１４によって玉受け部１０の内部を視認することができるため、玉受け部１０の内部の状態を確認することができる。
【００１９】
請求項６に係る発明においては、移動壁部１２には、該移動壁部１２の上下方向の位置を調整するための基準となる上下目盛り１８が形成されている。このように構成することにより、パチンコ島台１に同一種類のパチンコ機２が複数設置される場合に、最初に調整した側壁部１１の目盛りに基づいて他の玉受け部１０の側壁部１１もその目盛りを用いて高さを調整すればよいため、個々のアウト玉回収装置５についてパチンコ機２の裏面側に設置される構造物の形状に合わせて玉受け部１０の側壁部１１の高さを調整する必要がない。また、アウト玉回収装置５をパチンコ島台１に設置する前に玉受け部１０の側壁部１１の高さを調整しておくことができる。これにより、アウト玉回収装置５の玉受け部１０とパチンコ機２の裏面側の構造物とが干渉していないかを一台毎に確認する必要がない。
【００２０】
請求項７に係る発明においては、玉受け部１０には、移動壁部１２の上下方向の移動をガイドするガイド部材２１と、移動壁部１２に形成される高さ調整手段係合部１７と係合する固定係合部２３と、高さ調整手段係合部１７と固定係合部２３とが係合する方向に移動壁部１２を付勢する付勢部材２５と、が形成され、移動壁部１２は、付勢部材２５の付勢力に抗して押圧されることにより、高さ調整手段係合部１７と固定係合部２３との係合が解除されてガイド部材２１に沿って上下方向で移動可能となり、付勢部材２５によって付勢されることにより、高さ調整手段係合部１７と前記固定係合部２３とが係合して固定される。このように構成することにより、移動壁部１２の移動及び固定を、移動壁部１２の押圧及び押圧の解除という簡単な操作によって行なうことができるため、移動壁部１２の高さ位置の調整を容易に且つ迅速に行なうことができる。
【発明を実施するための最良の形態】
【００２１】
以下、図面を参照して本発明の実施形態について説明する。図１は、パチンコ機２の裏面の下方に設置されているアウト玉回収装置５の斜視図であり、図２は、アウト玉回収装置５の拡大斜視図であり、図３は、側壁部１１の詳細を示す部分斜視図であり、図４は、固定壁部２０に形成される付勢部材２５ａ（２５）の斜視図であり、図５は、固定壁部２０に沿って移動壁部１２が移動する状態の側面図及び平面図であり、図６は、パチンコ機２の裏面下部の高さ位置に合わせて側壁部１１の上端１３の高さ位置を調整する状態を示す側面図であり、図７は、第２実施形態に係るアウト玉回収装置の平面図である。なお、以下の説明において、パチンコ機２の前面側を前面側、パチンコ機２の後面側を後面側又は裏面側、パチンコ機２の左右方向を左右方向、パチンコ機２の裏面側から見てそれぞれ左側方、右側方として説明する。
【００２２】
パチンコ島台（遊技機島台）１は、周知のように、直方体状に枠組み構成され、その長手方向両面に複数のパチンコ機（遊技機）２を背向列設するようになっているものであるが、図１においては、その一部のみを図示している。図１に示すように、パチンコ島台１に設置されたパチンコ機２の裏面側の下方の位置には、パチンコ機２で使用されてアウト玉排出口３から排出されたパチンコ玉（遊技玉）を受け入れ、この受け入れたパチンコ玉をパチンコ島台１内のアウト玉回収樋（図示しない）に送るためのアウト玉回収装置５が設置されている。このアウト玉回収装置５は、パチンコ島台１に設けられた取付台４によってパチンコ島台１に取り付けられている。また、パチンコ機２の裏面側には、パチンコ機２を制御するための制御基板（図示しない）が収納される基板ケース６，７等が設けられている。なお、パチンコ機２の裏面側から排出されるパチンコ玉、即ち、アウト玉排出口３から排出されるパチンコ玉のことを、通称、「アウト玉」という。
【００２３】
次に、本発明の要部を構成するパチンコ玉回収装置５について図を参照して説明する。パチンコ玉回収装置５は、図２に示すように、主として、パチンコ島台１に設置されたパチンコ機２の裏面側から排出されたパチンコ玉を受け入れる上方が開口した箱型形状の玉受け部１０と、この玉受け部１０で受け入れたパチンコ玉を転動させてパチンコ島台１内のアウト玉回収樋へ排出する玉送出部４０とから構成されている。この玉受け部１０と玉送出部４０との位置関係は、玉受け部１０で受け入れたパチンコ玉が玉送出部４０へ誘導されるように、玉受け部１０に形成されてパチンコ玉が落下する落下穴３１が、玉送出部４０の上流側の下方に臨む位置に配置されている。
【００２４】
また、上記した玉受け部１０は、少なくともパチンコ玉を受け止める底面部３０と、この玉受け部１０の外周壁を構成する側壁部１１と、から構成されるものである。そこで、この玉受け部１０について、図２を参照して説明する。
【００２５】
玉受け部１０は、上記したように上方が開口した箱型形状に形成されると共に、その底部が中央に向って下り傾斜する底面部３０として形成されている。この底面部３０の表面には、玉受け部１０で受け入れたパチンコ玉が大きく弾んで玉受け部１０の外へ飛び出さないように、低反発性部材３２が貼付されている。この底面部３０のほぼ中央には、玉受け部１０で受け入れたパチンコ玉を玉送出部４０に向けて落下させる落下穴３１が形成されている。即ち、底面部３０は、この落下穴３１に向けて下り傾斜して形成されるものである。
【００２６】
また、玉受け部１０の外周壁は、上記したように側壁部１１によって構成されており、この側壁部１１は、底面部３０に固定される固定壁部２０とこの固定壁部２０に沿って上下方向で移動可能な移動壁部（高さ調整手段）１２とにより構成されている。この移動壁部１２は、本実施形態に係るアウト玉回収装置５においては、固定壁部２０の後面側、前面側、左側方及び右側方に位置する辺にそれぞれ２個ずつ、個別に上下方向で移動可能に設けられている。具体的には、図２に示すように、後面側には左右にそれぞれ移動壁部１２ａ，１２ｂが、前面側には左右にそれぞれ移動壁部１２ｇ，１２ｈが、左側方には前後にそれぞれ１２ｄ，１２ｃが、右側方には前後にそれぞれ１２ｆ，１２ｅが設けられている。また、これら移動壁部１２ａ〜１２ｈは、図２に示すように、固定壁部２０の底面部３０と反対側の面に設けられるものである。
【００２７】
なお、移動壁部１２は、上記したように固定壁部２０の底面部３０の反対側、即ち、固定壁部２０の外側面に設けられるものである。これは、移動壁部１２を実施形態とは逆に固定壁部２０の底面部３０側、即ち、固定壁部２０の内側面に設けた場合には、移動壁部１２をガイドするための後述するガイド部材２１が同様に固定壁部２０の内側面に設けられることとなるため、ガイド部材２１やガイド部材２１の内部に形成される後述する固定係合部２３にパチンコ玉が衝突して破損する可能性があるという理由によるものである。
【００２８】
また、移動壁部１２を固定壁部２０の内側面に設けることにより、移動壁部１２自体にもパチンコ玉が衝突する可能性が高くなり、移動壁部１２及び移動壁部１２の両側方の端面に形成される後述する高さ調整手段係合部１７が破損する可能性もあるためである。
【００２９】
また、移動壁部１２は、上記したように、上下方向に移動可能に設けられているが、移動させる際には、後に詳述するように、移動壁部１２を玉受け部１０の内側に向けて押圧することにより、移動壁部１２と固定壁部２０との係合を解除して移動させるようになっている。そして、移動させた後に押圧を解除することにより、再び移動壁部１２と固定壁部２０とが係合して、移動壁部１２が固定されるようになっている。従って、実施形態とは逆に移動壁部１２を固定壁部２０の内側面に設けた場合には、移動壁部１２と固定壁部２０との係合を解除する際には、移動壁部１２を玉受け部１０の外側に向けて押圧することとなる。この場合、玉受け部１０で受け入れたパチンコ玉が移動壁部１２に衝突して移動壁部１２と固定壁部２０との係合が解除され、移動壁部１２の高さ位置が変わってしまう可能性がある。
【００３０】
従って、移動壁部１２を固定壁部２０の外側面に設けることにより、玉受け部１０で受け入れたパチンコ玉が移動壁部１２に衝突し、移動壁部１２の高さ位置が変わってしまうということを防止できるということも、移動壁部１２を固定壁部２０の外側面に設けた理由の１つである。
【００３１】
このように、移動壁部１２は、複数個に分割されて個別に上下方向で移動可能であるため、例えば、図１及び図２に示すように、基板ケース６の下端に対して高さ位置が調整された移動壁１２ｄ，１２ｇよりも、前記移動壁１２ｄ，１２ｇに隣接する移動壁１２ｃ，１２ｈの高さ位置を高く調整することが可能となる。
つまり、側壁部一面の中でも移動壁１２の高さ位置を異なる高さに調整することができる。
【００３２】
このように構成することにより、側壁部１１がパチンコ機２の裏面側に設置される構造物の形状を取り囲むように上記移動壁１２の高さ位置を細かく調整できるため、外部からの飛び込み玉を防ぐことが可能になる。
【００３３】
なお、本実施形態においては、固定壁部２０のそれぞれの辺に２個ずつの移動壁部１２が設けられるものを示しているが、これに限らず、それぞれの辺に３個以上の固定壁部２０が設けられているものや、それぞれの辺に異なる個数の固定壁部２０が設けられているもの等であってもよい。
【００３４】
次に、上記した移動壁部１２の構成について、図３を参照して移動壁部１２ａを代表に説明すると、移動壁部１２（１２ａ〜１２ｈ）は、角型の平板形状に形成されるものであり、その外側面の左側方上部及び右側方下部には、移動壁部１２を上下移動させる際に操作する操作片１６（１６ａ〜１６ｈ；但し、１６ａ〜１６ｄのみ図示）がそれぞれ突設されている。また、移動壁部１２の上端が上端１３（１３ａ〜１３ｈ）として形成されると共に、移動壁部１２の両側方の端面には、後述する固定係合部２３（２３ａ〜２３ｈ）と係合する高さ調整手段係合部１７（１７ａ〜１７ｈ；但し、１７ａ，１７ｇ，１７ｈにのみ符号を付してある）が上下方向に亘って形成されている。この高さ調整手段係合部１７は、正面視では、山型の凹凸形状に形成されるものであり、平面視では、図５の平面図に示すように、固定壁部２０側から後述するガイド部材２１側に向けて傾斜状に形成されるものである。
【００３５】
そして、移動壁部１２の底面部３０側の面であって、上記した高さ調整手段係合部１７の側方には、図２の拡大図に示すように、移動壁部１２の上下方向の位置を調整するための基準となる上下目盛り１８（１８ａ〜１８ｈ；但し、１８ｇ，１８ｈのみ図示）が形成されている。また、図２の拡大図に示すように、この上下目盛り１８の所定の箇所には、三角形状の位置合わせ基準１９（１９ａ〜１９ｈ；但し、１９ｈのみ符号を付してある）が記してある。この位置あわせ基準１９は、すべての移動壁部１２で上端１３から同一の寸法の位置に記されているため、隣接する移動壁部１２の位置あわせ基準１９同士を合わせることにより、移動壁部１２の上端１３の高さを揃えることができるようになっている。
【００３６】
上記のように、移動壁部１２に上下目盛り１８が形成されているため、パチンコ島台１に同一種類のパチンコ機２が複数設置される場合に、最初に調整した移動壁部１２の目盛りに基づいて他の玉受け部１０の移動壁部１２もその目盛りを用いて高さを調整すればよく、個々のアウト玉回収装置５についてパチンコ機２の裏面側に設置される構造物の形状に合わせて玉受け部１０の移動壁部１２の高さを調整する必要がない。また、アウト玉回収装置５をパチンコ島台１に設置する前に玉受け部１０の移動壁部１２の高さを調整しておくことができる。これにより、アウト玉回収装置５の玉受け部１０とパチンコ機２の裏面側の構造物とが干渉していないかを一台毎に確認する必要がない。
【００３７】
また、移動壁部１２のうち、移動壁部１２ａ〜１２ｆには、玉受け部１０の内部を視認可能な内部視認手段１４（１４ａ〜１４ｆ）がそれぞれ形成されている。この内部視認手段１４は、角型で貫通して形成されるものであると共に、同形状の透明な部材で形成される透視部材１５（１５ａ〜１５ｆ）が嵌め込まれている。
【００３８】
このように、移動壁部１２に内部視認手段１４が形成されているため、パチンコ機２の裏面側に設置される構造物の形状に合わせて移動壁部１２の高さ位置を調整することにより、玉受け部１０の内部を覆い隠す状態となった場合であっても、内部視認手段１４によって玉受け部１０の内部を視認することができるため、玉受け部１０の内部の状態を確認することができる。また、内部視認手段１４には、透視部材１５が嵌め込まれているため、内部視認手段１４からパチンコ玉が飛び出してしまうことはない。
【００３９】
以上、側壁部１１を構成する移動壁部１２について説明したが、次に、同じく側壁部１１を構成する固定壁部２０について説明する。固定壁部２０は、前述したように、底面部３０に対して固定されるものであり、底面部３０を囲むように立設されるものである。この固定壁部２０の外側面であって、移動壁部１２が取り付けられる位置には、図２に示すように、移動壁部１２の上下方向の移動をガイドするガイド部材２１（２１ａ〜２１ｈ；但し、２１ａ〜２１ｄのみ図示）がそれぞれ形成されている。
【００４０】
このガイド部材２１は、図５の平面図に示すように、移動壁部１２の左右両側端を囲うように、平面視でＬ字形状に形成されるものであり、その内部の空間は移動壁部１２が挿入される挿入部２４（２４ａ〜２４ｈ；但し、挿入部２４ａ（後述する図４の付勢部材２５ａ，撓み部２６ａ，押圧部２７ａと対応）に該当する挿入部２４についてのみ図示）として形成されている。また、このガイド部材２１の内部には、ガイド部材２１に移動壁部１２が挿入されて固定される際、移動壁部１２の高さ調整手段係合部１７が係合する固定係合部２３（２３ａ〜２３ｈ；但し、固定係合部２３ａ（後述する図４の付勢部材２５ａ，撓み部２６ａ，押圧部２７ａと対応）に該当する固定係合部２３についてのみ図示）が上下方向に亘って形成されている。この固定係合部２３は、正面視では、山型の凹凸形状に形成されるものであり、平面視では、図５の平面図に示すように、ガイド部材２１側から固定壁部２０側に向けて傾斜状に形成されるものである。更に、ガイド部材２１のうち、移動壁部１２の左側に位置するガイド部材２１の下部及び移動壁部１２の右側に位置するガイド部材２１の上部には、それぞれガイド片２２が互いに向き合う方向に突出して形成されている。この両側方のガイド片２２のうち、右側に位置するガイド部材２１の上部に形成されるガイド片２２は、移動壁部１２が上方に移動した際、移動壁部１２の右側方下部に形成される操作片１６が当接することにより、移動壁部１２の上方の位置を規制するものである。
【００４１】
また、固定壁部２０の表面の上方の位置には、図４に示すように、上下２箇所に付勢部材２５（２５ａ〜２５ｈ；但し、２５ａのみ図示）が固定壁部２０と一体的に形成されている。この付勢部材２５は、図５（Ａ）で示すように、移動壁部１２が取り付けられた際、高さ調整手段係合部１７ａと固定係合部２３ａとが係合する方向に高さ調整手段係合部１７ａを付勢するものであり、移動壁部１２を押圧する部分である押圧部２７（２７ａ〜２７ｈ；但し、２７ａのみ図示）と、撓むことにより押圧部２７に押圧力を与える撓み部２６（２６ａ〜２６ｈ；但し、２６ａのみ図示）と、によりＬ字形状に形成されるものである。
【００４２】
また、上記した玉受け部１０の左右両側方の下部には、アウト玉回収装置５をパチンコ島台１に取り付けるための取付部５０が形成されている。この取付部５０は、左右両側方の外側に向けて屈曲するＬ字形状のものである。取付部５０の上面には、パチンコ島台１に設けられた取付台４から突出する取付ネジ部材５３が挿通される取付長穴５１が形成されている。
【００４３】
以上、玉受け部１０の構成について説明したが、次に、玉送出部４０について説明する。図２において、玉送出部４０には、玉受け部１０の落下穴３１から落下したパチンコ玉が転動する転動面４１が形成されており、その上流側が上記したように玉受け部１０の落下穴３１の下方に臨むと共に、下流側は転動面４１を転動してきたパチンコ玉を検出する玉計数器４４を取り付けるための部材取付部４５として形成されている。この部材取付部４５には、玉計数器４４が挿入された取付部材４３が取付ネジ（図示しない）によって取り付けられ、これにより、アウト玉回収装置５に玉計数器４４が取り付けられることとなる。また、転動面４１の両側面は側壁４２として形成されており、この側壁４２は上記した部材取付部４５と一体的に形成されている。
【００４４】
しかして、上記のように構成されるアウト玉回収装置５は、前述したように、取付台４によってパチンコ島台１に取り付けられる。取付台４は、図２に示すように、左右方向で横長形状に形成されると共に、その両側方には取付ネジ部材５３が立設されている。そして、この取付ネジ部材５３に対してアウト玉回収装置５の取付部５０に形成された取付長穴５１を挿通させた後、取付ネジ部材５３に取付ナット５２を螺着することにより、アウト玉回収装置５が固定される。また、取付長穴５１は左右方向で横長形状に形成されるものであるため、この取付長穴５１の長さの範囲で、アウト玉回収装置５の左右方向の位置を変更することができる。この際、取付ナット５２を緩めた後にアウト玉回収装置５を左右方向で所望の位置に設置し、再び取付ナット５２を締め付けることにより、変更した位置でアウト玉回収装置５が固定される。
【００４５】
上記のようにしてパチンコ島台１に対してアウト玉回収装置５を固定した後、移動壁部１２を上下方向で移動させることにより、移動壁部１２の上端片１３の高さ位置を調整することができる。例えば、図６に示すように、移動壁部１２の上方に基板ケース６が位置している場合、基板ケース６の下端の高さ位置に合わせて、移動壁部１２ｄの上端片１３ｄの高さ位置を調整することができる。
【００４６】
このように、移動壁部１２の上端片１３の高さ位置を調整するために移動壁部１２を上下方向で移動させるには、まず、図５（Ｂ）で示すように、移動壁部１２を付勢部材２５の付勢力に抗して押圧することにより、高さ調整手段係合部１７と固定係合部２３との係合を解除する。このように、高さ調整手段係合部１７と固定係合部２３との係合を解除することにより、移動壁部１２がガイド部材２１に沿って上下方向で移動可能となるため、移動壁部１２を押圧しながら所望の高さ位置に移動させる。そして、所望の高さ位置に移動させた状態で移動壁部１２の押圧を解除することにより、再び移動壁部１２が付勢部材２５によって付勢され、高さ調整手段係合部１７と固定係合部２３とが係合して、移動壁部１２が固定される。このように、移動壁部１２の移動及び固定を、移動壁部１２の押圧及び押圧の解除という簡単な操作によって行なうことができるため、移動壁部１２の高さ位置の調整を遊技機島台１内にアウト玉回収装置５を設置した状態でも容易に且つ迅速に行なうことができる。
【００４７】
このような構成にすることにより、パチンコ機２を短期間で入れ替えることが日常化している最近の遊技店において、入れ替えられるパチンコ機２は、パチンコ機メーカーによってそのアウト玉排出口の付近の構造が異なるが、それぞれ異なる構造のパチンコ機２に合わせ、パチンコ機２毎に行うアウト玉回収装置５の高さ調整作業を軽減することができ、遊技店の運営をスムーズに行うことが可能となる。
【００４８】
なお、上記した実施形態（第１実施形態）に係るアウト玉回収装置５は、玉受け部１０が角型形状の底面を有する多角柱形状のものを示したが、これに限らず、図７で示すように、玉受け部１０が円形状の底面を有する円筒形状で形成されているもの（第２実施形態）であってもよい。この第２実施形態に係るアウト玉回収装置５について、図７を参照して説明する。なお、図７に示す玉受け部１０が円筒形状に形成されている第２実施形態については、上記した玉受け部１０が角型形状の実施形態と同じ機能を有する部材には、同じ符号を付してある。
【００４９】
第２実施形態に係るアウト玉回収装置５は、主として、パチンコ島台１に設置されたパチンコ機２の裏面側から排出されたパチンコ玉を受け入れる上方が開口した円筒形状の玉受け部１０と、この玉受け部１０で受け入れたパチンコ玉を転動させてパチンコ島台１内のアウト玉回収樋へ排出する玉送出部４０とから構成されている。玉送出部４０は、玉受け部１０の側壁部１１から半径方向で外側に向けて突出するように設けられており、側壁部１１の玉送出部４０が設けられる箇所には、玉送出部４０の上流側に臨むように玉排出穴（図示しない）が形成されている。玉受け部１０で受け入れたパチンコ玉は、この玉排出穴から玉送出部４０に向けて排出されるようになっている。
【００５０】
玉受け部１０は、上記したように、上方が開口した円筒形状に形成されると共に、その底部が上記した玉排出穴に向って下り傾斜する底面部３０として形成されている。また、玉受け部１０の外周壁は、側壁部１１によって構成されており、この側壁部１１は、底面部３０に固定される固定壁部２０とこの固定壁部２０に沿って上下方向で移動可能な移動壁部１２とにより構成されている。この移動壁部１２は、第２実施形態に係るアウト玉回収装置５においては、固定壁部２０の後面側に２個、個別に上下方向で移動可能に設けられている。そして、移動壁部１２は、第１実施形態と同様に、ガイド部材２１によって上下方向の移動がガイドされるようになっている。また、移動壁部１２には、図示しないが、第１実施形態と同様に、玉受け部１０の内部を視認可能な内部視認手段がそれぞれ形成されている。
【００５１】
なお、第２実施形態に係るアウト玉回収装置５においては、固定壁部２０の後面側に２個の移動壁部１２が設けられるものを示しているが、これに限らず、２個の移動壁部１２が固定壁部２０のほぼ全周に亘って設けられているものや、あるいは、３個以上の移動壁部１２が設けられているもの等であってもよい。
【００５２】
そして、第２実施形態に係るアウト玉回収装置５は、パチンコ島台１に設けられた直方体形状の取付台４によってパチンコ島台１に取り付けられる。また、玉受け部１０内のパチンコ玉を玉送出部４０を介して排出する際、その排出する位置を調整するため、玉受け部１０の平面視における円中心を回転中心として、取付台４に対して回転させることができる。上記のように、玉受け部１０が円筒形状に形成されているため、玉送出部４０からのパチンコ玉の排出位置を調整するためアウト玉回収装置５を回転させた場合でも、パチンコ機のアウト玉排出口３と側壁部１１との位置関係が変化することがなく、アウト玉排出口３から排出されるパチンコ玉を玉受け部１０によって確実に受けることができる。
【００５３】
また、アウト玉回収装置５は、取付台４上を取付台４の長手方向でスライド移動させることができるようになっており、これにより、アウト玉回収装置５の左右方向の位置を変更することができる。
【００５４】
上記したように、第１及び第２実施形態に係るアウト玉回収装置５においては、側壁部１１には、外周壁の上端１３の高さ位置を任意の位置に調整するために上下方向に移動可能な高さ調整手段としての移動壁部１２が設けられているため、パチンコ機２が入れ替えられることにより、パチンコ機２の裏面側に設置される構造物の高さ位置が変わった場合であっても、入れ替えられたパチンコ機２毎に構造物の高さ位置に合わせて玉受け部１０の側壁部１１の上端１３を任意の高さに調整することができる。これにより、玉受け部１０の側壁部１１がパチンコ機２のアウト玉排出口３付近の構造物と干渉することがない。また、側壁部１１の高さが低くなり過ぎることがないため、アウト玉回収装置５で受け入れたアウト玉がアウト玉回収装置５から飛び出してしまうことを防止することができる。
【００５５】
また、上記したように、側壁部１１は、底面部３０に固定される固定壁部２０と固定壁部２０に沿って上下方向で移動可能な移動壁部１２との２つの部材により構成されている。このような構成では、側壁部１１の固定壁部２０と、底面部３０とが固着されているため、入れ替えられたパチンコ機２毎に構造物の高さ位置に合わせて玉受け部１０の側壁部１１の高さ位置を調整できる構造において、側壁部１１の強度を高めることができ、パチンコ玉の衝突等による側壁部１１の損傷等を防止することができる。
【００５６】
なお、上記した第１実施形態に係るアウト玉回収装置５においては、玉受け部１０の全周に亘って上下方向に移動可能な移動壁部１２が設けられるものを示したが、これに限らず、アウト玉排出口３若しくは前記アウト玉排出口３の付近に設けられる構造物と接触する位置にある側壁部１１だけが上下方向に移動可能で、アウト玉排出口３若しくは前記アウト玉排出口３の付近に設けられる構造物を接触しない位置にある側壁部１１は高さが固定されているようなものであってもよい。具体的には、上記した第１実施形態において、移動壁部１２ｄ，１２ｆ〜１２ｈと対応する位置の側壁部１１が上下方向に移動可能で、移動壁部１２ａ〜１２ｃ，１２ｅと対応する位置の側壁部１１が固定されているものである。
【００５７】
また、上記した第１及び第２実施形態に係るアウト玉回収装置５においては、玉受け部１０の側壁部１１が底面部３０に固定される固定壁部２０と移動壁部１２とにより構成され、移動壁部１２が固定壁部２０に沿って上下方向で移動するものを示したが、これに限らず、側壁部１１が１つの部材により構成され、この側壁部１１全体が底面部３０に対して上下方向で移動可能な構成のものであってもよい。
【００５８】
また、上記した移動壁部１２を柔軟性のある樹脂等により形成してもよく、こうすることにより、移動壁部１２の高さ寸法を誤ってパチンコ機２の裏面側の構造物と干渉してしまうような場合であっても柔軟に変形するため、構造物を破損等してしまうことがない。
【００５９】
また、上記した移動壁部１２の上部が細かく分割されることにより、構造物の形状に対して柔軟に変形するようなもの（例えば、ブラシのような形状等）であってもよく、こうすることにより、上記と同様に、移動壁部１２の高さ寸法を誤ってパチンコ機２の裏面側の構造物と干渉してしまうような場合であっても柔軟に変形するため、構造物を破損等してしまうことがない。
【００６０】
また、上述した形状の移動壁部であれば、玉受け部の外側方向にむけて延設してもよい、こうすることにより、玉受け部の遊技球受取範囲が広くなり、より確実にアウト球を受け入れることができる。
【００６１】
また、上記した第１及び第２実施形態に係るアウト玉回収装置５の玉受け部１０は、前後方向で移動できないものを示したが、前後方向で移動が可能で位置調整をすることができるものであってもよい。こうすることにより、例えば、玉受け部１０を前面側に移動させて、アウト玉排出口３からのアウト玉を底面部３０の後面側で受け入れ、且つ玉受け部１０の後面側の側壁部１１の上端１３とパチンコ機２の裏面側の構造物との距離が小さくなるような位置に玉受け部１０を位置させることができる。このため、外部からの飛び込み玉等を防ぐことができる。
【００６２】
また、上記した第１及び第２実施形態に係る内部視認手段１４は、透明な透視部材１５が嵌め込まれることにより、パチンコ玉が内部視認手段１４から飛び出さないようになっているものであるが、このようなものに限らず、パチンコ玉が飛び出すことなく玉受け部１０の内部を視認することができるものであればよく、例えば、パチンコ玉の直径よりも小径のパンチ穴が穿設されているようなものであってもよい。
【００６３】
尚、本実施例では、移動壁部１２の上端が側壁部１１の上端になるよう構成された例を示したが、移動壁部１２の上端が、固定壁部２０の上端よりも下方まで移動し、該固定壁部２０の上端が側壁部の上端を形成するような構成であってもよい。
【図面の簡単な説明】
【００６４】
【図１】パチンコ機の裏面の下方に設置されているアウト玉回収装置の斜視図である。
【図２】アウト玉回収装置の拡大斜視図である。
【図３】側壁部の詳細を示す斜視図である。
【図４】固定壁部に形成される付勢部材の斜視図である。
【図５】固定壁部に沿って移動壁部が移動する状態の側面図及び平面図である。
【図６】パチンコ機の裏面下部の高さ位置に合わせて側壁部の上端の高さ位置を調整する状態を示す側面図である。
【図７】第２実施形態に係るアウト玉回収装置の平面図である。
【符号の説明】
【００６５】
１  パチンコ島台（遊技機島台）
２  パチンコ機（遊技機）
５  アウト玉回収装置
１０  玉受け部
１１  側壁部
１２  移動壁部（高さ調整手段）
１３  上端
１４  内部視認手段
１７  高さ調整手段係合部
１８  上下目盛り
２０  固定壁部
２１  ガイド部材
２３  固定係合部
２５  付勢部材
３０  底面部
４０  玉送出部
【図１】
2007000207.tif 000003
【図２】
2007000207.tif 000004
【図３】
2007000207.tif 000005
【図４】
2007000207.tif 000006
【図５】
2007000207.tif 000007
【図６】
2007000207.tif 000008
【図７】
2007000207.tif 000009